(57)【要約】【課題】本発明は自動的に裏返ることができる洗濯物干しバスケットを開示した。【解決手段】動力箱を含み、前記動力箱の中には置きチャンバが設けられ、前記置きチャンバの底端内壁にはモータが固定的に連結され、前記置きチャンバの頂端にはフックが回転できるように連結され、前記動力箱の中には前記置きチャンバの下端に位置する伝動チャンバが設けられ、前記伝動チャンバの頂端内壁には間欠伝動装置が設けられ、本発明は構成が簡単で、段階式の上下交換反転により、洗濯物を乾かす速度を速め、また下側の服が上側の服に遮られるため、太陽に直射されることができない問題を解決し、且つ片側が直射される時間が長すぎることによる服へのダメージを避ける。【選択図】図１
2020171641.tif 000002
【特許請求の範囲】
【請求項１】
動力箱を含み、前記動力箱の中には置きチャンバが設けられ、前記置きチャンバの底端内壁にはモータが固定的に連結され、前記置きチャンバの頂端にはフックが回転できるように連結され、前記動力箱の中には前記置きチャンバの下端に位置する伝動チャンバが設けられ、前記伝動チャンバの頂端内壁には間欠伝動装置が設けられ、自動的に裏返るとともに片面に十分な干す時間を与え、前記伝動チャンバの底端内壁には反転装置が回転できるように連結され、その中、前記反転装置の中には左右対称の選択開閉装置が設けられ、前回の反転動作を実行した後、また反転動作を行う時に前記選択開閉装置を始動して復元を実現し、前記反転装置の中には上下に伸びているネジ軸が設けられ、前記ネジ軸には固定リングが回転できるように連結され、前記固定リングの左右端には互いに対称的な半円箱が固定的に連結され、前記半円箱には上に開口した反転チャンバが設けられ、前記反転チャンバの中には圧着装置が設けられ、前記圧着装置が前記反転装置と前記選択開閉装置により制御されることを特徴とする自動的に裏返ることができる洗濯物干しバスケット。
【請求項２】
前記間欠伝動装置は、前記伝動チャンバの頂端の中に回転できるように連結され、且つ前記モータと動力が伝達できるように連結できる駆動軸を含み、前記駆動軸には前記伝動チャンバの頂端内壁と固定的に連結できる斜面リングが嵌めるように連結され、前記駆動軸には前記斜面リングの下端に位置する回転盤が設けられ、前記回転盤には揺動レバーがスライドできるように連結され、前記揺動レバーの上端には前記斜面リングとスライドできるように連結できるボールが固定的に連結され、前記ボールの下側と前記回転盤の上側との間には圧縮ばねが連結されることを特徴とする請求項１に記載の自動的に裏返ることができる洗濯物干しバスケット。
【請求項３】
前記反転装置は前記伝動チャンバの底端内壁に回転できるように連結される上下に伸びている前記ネジ軸を含み、前記ネジ軸の上端には前記揺動レバーと当接できる従動ダイヤルが設けられ、前記ネジ軸の下端末端には重力ブロックが回転できるように連結され、前記ネジ軸には前記重力ブロックの上側に位置する上昇ブロックがネジ山により連結され、前記上昇ブロックの下側と前記重力ブロックの上側との間には第一トーションバネが連結され、前記上昇ブロックには左右対称のサポートロッドがスライドできるように連結され、前記サポートロッドのうち対称中心から離れている端には前記選択開閉装置が固定的に連結され、前記ネジ軸には前記上昇ブロックの上側に位置する下降ブロックがネジ山により連結され、前記下降ブロックの上側と前記動力箱の下側との間には第二トーションバネが連結され、前記下降ブロックには円弧形状押し板がスライドできるように連結され、前記ネジ軸には固定リングが回転できるように連結され、前記固定リングには左右対称の前記圧着装置が設けられることを特徴とする請求項１に記載の自動的に裏返ることができる洗濯物干しバスケット。
【請求項４】
前記選択開閉装置は、前記サポートロッドのうち対称中心から離れている端に固定的に連結される起動板を含み、前記起動板の頂端端面には空気圧縮機が固定的に連結され、前記空気圧縮機の頂端には空気圧押しロッドが動力が伝達できるように連結され、前記空気圧押しロッドには前後対称の連結フックが回転できるように連結され、前記起動板には前に開口したスライド溝が設けられ、前記スライド溝には前記連結フックと回転できるように連結できるスライダがスライドできるように連結されることを特徴とする請求項３に記載の自動的に裏返ることができる洗濯物干しバスケット。
【請求項５】
前記圧着装置は、前記固定リングの左右端に固定的に連結される互いに対称的な前記半円箱を含み、前記半円箱の中には上に開口した前記反転チャンバが設けられ、前記反転チャンバの底端内壁には左右対称のスパーギヤロッドがスライドできるように連結され、前記スパーギヤロッドには前記反転チャンバの底端の外側に位置する突き当て板が設けられ、前記突き当て板の下側には前記連結フックと結合できる連結リングが固定的に連結され、前記反転チャンバの中には物干し板が設けられ、前記物干し板の左右端面には互いに対称的な伝動軸が固定的に連結され、その中、前記伝動軸と前記反転チャンバの内壁との間が回転できるように連結され、前記伝動軸には前記スパーギヤロッドと噛み合って連結できる伝動ギヤが設けられ、前記物干し板の中には上に開口した物干し溝が設けられ、前記物干し溝の中には上下対称の載置台がスライドできるように連結され、前記載置台のうち互いに近接する側の間には引っ張りばねが連結され、前記物干し板の中には前記物干し溝の左右端に位置する互いに対称的なロックチャンバが設けられ、前記ロックチャンバのうち対称中心に近接する側には押しロッドがスライドできるように連結され、前記押しロッドには前記物干し溝の中に位置する上下対称の連結ロッドが回転できるように連結され、前記連結ロッドの他端と前記載置台との間が回転できるように連結され、前記押しロッドには前記ロックチャンバの中に位置する押しブロックが設けられ、前記ロックチャンバの頂端内壁には前記押しブロックと当接できるエジェクタロッドがスライドできるように連結され、前記エジェクタロッドの上端には前記円弧形状押し板と当接できる圧着弧板が設けられ、前記圧着弧板の下側と前記物干し板の上側との間には左右対称の復帰ばねが連結されることを特徴とする請求項１または請求項４に記載の自動的に裏返ることができる洗濯物干しバスケット。
【発明の詳細な説明】
【技術分野】
【０００１】
本発明は生活用品技術分野を取り上げて、具体的には自動的に裏返ることができる洗濯物干しバスケットである。  
【背景技術】
【０００２】
洗濯物干しバスケットは物干し載置能力が優れている物干し用品であるが、そのデメリットも明らかである。洗濯物が積み重ねて置かれるので、日光が足りない場合、下にある洗濯物が乾かないことが多い。また、洗濯物を干す時間帯は多くの人が仕事に出かける時間であるので、反転を補助することができない。そのため、自動的に裏返ることができる洗濯物干しバスケットを設計することが日用品業界発展の必然の趨勢であり、本発明が開示したのは上記問題を解決できる装置である。
【先行技術文献】
【特許文献】
【０００３】
【特許文献１】中国特許出願公開第１０９１９９０３９号明細書
【発明の概要】
【発明が解決しようとする課題】
【０００４】
本発明は自動的に裏返ることができる洗濯物干しバスケットを提供し、従来技術における欠点を解消することを目的とする。
【課題を解決するための手段】
【０００５】
本発明の自動的に裏返ることができる洗濯物干しバスケットは、動力箱を含み、前記動力箱の中には置きチャンバが設けられ、前記置きチャンバの底端内壁にはモータが固定的に連結され、前記置きチャンバの頂端にはフックが回転できるように連結され、前記動力箱の中には前記置きチャンバの下端に位置する伝動チャンバが設けられ、前記伝動チャンバの頂端内壁には間欠伝動装置が設けられ、自動的に裏返るとともに片面に十分な干す時間を与え、前記伝動チャンバの底端内壁には反転装置が回転できるように連結され、その中、前記反転装置の中には左右対称の選択開閉装置が設けられ、前回の反転動作を実行した後、また反転動作を行う時に前記選択開閉装置を始動して復元を実現し、前記反転装置の中には上下に伸びているネジ軸が設けられ、前記ネジ軸には固定リングが回転できるように連結され、前記固定リングの左右端には互いに対称的な半円箱が固定的に連結され、前記半円箱には上に開口した反転チャンバが設けられ、前記反転チャンバの中には圧着装置が設けられ、前記圧着装置が前記反転装置と前記選択開閉装置により制御される。
【０００６】
好ましくは、前記間欠伝動装置は、前記伝動チャンバの頂端の中に回転できるように連結され、且つ前記モータと動力が伝達できるように連結できる駆動軸を含み、前記駆動軸には前記伝動チャンバの頂端内壁と固定的に連結できる斜面リングが嵌めるように連結され、前記駆動軸には前記斜面リングの下端に位置する回転盤が設けられ、前記回転盤には揺動レバーがスライドできるように連結され、前記揺動レバーの上端には前記斜面リングとスライドできるように連結できるボールが固定的に連結され、前記ボールの下側と前記回転盤の上側との間には圧縮ばねが連結される。
【０００７】
好ましくは、前記反転装置は前記伝動チャンバの底端内壁に回転できるように連結される上下に伸びている前記ネジ軸を含み、前記ネジ軸の上端には前記揺動レバーと当接できる従動ダイヤルが設けられ、前記ネジ軸の下端末端には重力ブロックが回転できるように連結され、前記ネジ軸には前記重力ブロックの上側に位置する上昇ブロックがネジ山により連結され、前記上昇ブロックの下側と前記重力ブロックの上側との間には第一トーションバネが連結され、前記上昇ブロックには左右対称のサポートロッドがスライドできるように連結され、前記サポートロッドのうち対称中心から離れている端には前記選択開閉装置が固定的に連結され、前記ネジ軸には前記上昇ブロックの上側に位置する下降ブロックがネジ山により連結され、前記下降ブロックの上側と前記動力箱の下側との間には第二トーションバネが連結され、前記下降ブロックには円弧形状押し板がスライドできるように連結され、前記ネジ軸には固定リングが回転できるように連結され、前記固定リングには左右対称の前記圧着装置が設けられる。
【０００８】
好ましくは、前記選択開閉装置は、前記サポートロッドのうち対称中心から離れている端に固定的に連結される起動板を含み、前記起動板の頂端端面には空気圧縮機が固定的に連結され、前記空気圧縮機の頂端には空気圧押しロッドが動力が伝達できるように連結され、前記空気圧押しロッドには前後対称の連結フックが回転できるように連結され、前記起動板には前に開口したスライド溝が設けられ、前記スライド溝には前記連結フックと回転できるように連結できるスライダがスライドできるように連結される。
【０００９】
好ましくは、前記圧着装置は、前記固定リングの左右端に固定的に連結される互いに対称的な前記半円箱を含み、前記半円箱の中には上に開口した前記反転チャンバが設けられ、前記反転チャンバの底端内壁には左右対称のスパーギヤロッドがスライドできるように連結され、前記スパーギヤロッドには前記反転チャンバの底端の外側に位置する突き当て板が設けられ、前記突き当て板の下側には前記連結フックと結合できる連結リングが固定的に連結され、前記反転チャンバの中には物干し板が設けられ、前記物干し板の左右端面には互いに対称的な伝動軸が固定的に連結され、その中、前記伝動軸と前記反転チャンバの内壁との間が回転できるように連結され、前記伝動軸には前記スパーギヤロッドと噛み合って連結できる伝動ギヤが設けられ、前記物干し板の中には上に開口した物干し溝が設けられ、前記物干し溝の中には上下対称の載置台がスライドできるように連結され、前記載置台のうち互いに近接する側の間には引っ張りばねが連結され、前記物干し板の中には前記物干し溝の左右端に位置する互いに対称的なロックチャンバが設けられ、前記ロックチャンバのうち対称中心に近接する側には押しロッドがスライドできるように連結され、前記押しロッドには前記物干し溝の中に位置する上下対称の連結ロッドが回転できるように連結され、前記連結ロッドの他端と前記載置台との間が回転できるように連結され、前記押しロッドには前記ロックチャンバの中に位置する押しブロックが設けられ、前記ロックチャンバの頂端内壁には前記押しブロックと当接できるエジェクタロッドがスライドできるように連結され、前記エジェクタロッドの上端には前記円弧形状押し板と当接できる圧着弧板が設けられ、前記圧着弧板の下側と前記物干し板の上側との間には左右対称の復帰ばねが連結される。
【発明の効果】
【００１０】
本発明の有益効果は：本発明は構成が簡単で、操作が便利、透明性質を有する材料を採用した挟みや反転構成により光透過能力を確保し、物干し過程が機械装置に遮らないようにし、洗濯物を挟んで反転することにより上下両側がいずれも太陽に直射されることを実現し、洗濯物の物干し速度を速くし、また間欠性の反転により、片側が直射される時間が長すぎることによる服へのダメージを避ける。
【図面の簡単な説明】
【００１１】
説明しやすいために、本発明は下記の具体的な実施例及び付図により詳しく説明する。
【００１２】
【図１】図１は本発明の自動的に裏返ることができる洗濯物干しバスケットの全体構成模式図
【図２】図２は図１の選択開閉装置の構成模式図
【図３】図３は図１の「Ａ−Ａ」の構成模式図
【図４】図４は図１の連結リングの構成模式図
【発明を実施するための形態】
【００１３】
以下に図１〜４を交えて本発明について詳しく説明する。便利に叙述するために、現在は後文に出る方位を下記の通りに規定する：後文に出る上下左右前後方向は図１本体の投影関係の上下左右前後方向と一致する。
【００１４】
本発明の自動的に裏返ることができる洗濯物干しバスケットは、動力箱１０を含み、前記動力箱１０の中には置きチャンバ１１が設けられ、前記置きチャンバ１１の底端内壁にはモータ１２が固定的に連結され、前記置きチャンバ１１の頂端にはフック５０が回転できるように連結され、前記動力箱１０の中には前記置きチャンバ１１の下端に位置する伝動チャンバ１７が設けられ、前記伝動チャンバ１７の頂端内壁には間欠伝動装置が設けられ、自動的に裏返るとともに片面に十分な干す時間を与え、前記伝動チャンバ１７の底端内壁には反転装置が回転できるように連結され、その中、前記反転装置の中には左右対称の選択開閉装置が設けられ、前回の反転動作を実行した後、また反転動作を行う時に前記選択開閉装置を始動して復元を実現し、前記反転装置の中には上下に伸びているネジ軸１８が設けられ、前記ネジ軸１８には固定リング１９が回転できるように連結され、前記固定リング１９の左右端には互いに対称的な半円箱３４が固定的に連結され、前記半円箱３４には上に開口した反転チャンバ３３が設けられ、前記反転チャンバ３３の中には圧着装置が設けられ、前記圧着装置が前記反転装置と前記選択開閉装置により制御される。
【００１５】
有益的には、前記間欠伝動装置は、前記伝動チャンバの頂端の中に回転できるように連結され、且つ前記モータ１２と動力が伝達できるように連結できる駆動軸２４を含み、前記駆動軸２４には前記伝動チャンバ１７の頂端内壁と固定的に連結できる斜面リング１３が嵌めるように連結され、前記駆動軸２４には前記斜面リング１３の下端に位置する回転盤２５が設けられ、前記回転盤２５には揺動レバー１６がスライドできるように連結され、前記揺動レバー１６の上端には前記斜面リング１３とスライドできるように連結できるボール１４が固定的に連結され、前記ボール１４の下側と前記回転盤２５の上側との間には圧縮ばね１５が連結される。
【００１６】
有益的には、前記反転装置は前記伝動チャンバ１７の底端内壁に回転できるように連結される上下に伸びている前記ネジ軸１８を含み、前記ネジ軸１８の上端には前記揺動レバー１６と当接できる従動ダイヤル２６が設けられ、前記ネジ軸１８の下端末端には重力ブロック４３が回転できるように連結され、前記ネジ軸１８には前記重力ブロック４３の上側に位置する上昇ブロック４１がネジ山により連結され、前記上昇ブロック４１の下側と前記重力ブロック４３の上側との間には第一トーションバネ４２が連結され、前記上昇ブロック４１には左右対称のサポートロッド４０がスライドできるように連結され、前記サポートロッド４０のうち対称中心から離れている端には前記選択開閉装置が固定的に連結され、前記ネジ軸１８には前記上昇ブロック４１の上側に位置する下降ブロック５３がネジ山により連結され、前記下降ブロック５３の上側と前記動力箱１０の下側との間には第二トーションバネ５２が連結され、前記下降ブロック５３には円弧形状押し板５４がスライドできるように連結され、前記ネジ軸１８には固定リング１９が回転できるように連結され、前記固定リング１９には左右対称の前記圧着装置が設けられる。
【００１７】
有益的には、前記選択開閉装置は、前記サポートロッド４０のうち対称中心から離れている端に固定的に連結される起動板４４を含み、前記起動板４４の頂端端面には空気圧縮機４８が固定的に連結され、前記空気圧縮機４８の頂端には空気圧押しロッド４７が動力が伝達できるように連結され、前記空気圧押しロッド４７には前後対称の連結フック４６が回転できるように連結され、前記起動板４４には前に開口したスライド溝４９が設けられ、前記スライド溝４９には前記連結フック４６と回転できるように連結できるスライダ４５がスライドできるように連結される。
【００１８】
有益的には、前記圧着装置は、前記固定リング１９の左右端に固定的に連結される互いに対称的な前記半円箱３４を含み、前記半円箱３４の中には上に開口した前記反転チャンバ３３が設けられ、前記反転チャンバ３３の底端内壁には左右対称のスパーギヤロッド３５がスライドできるように連結され、前記スパーギヤロッド３５には前記反転チャンバ３３の底端の外側に位置する突き当て板３８が設けられ、前記突き当て板３８の下側には前記連結フック４６と結合できる連結リング３９が固定的に連結され、前記反転チャンバ３３の中には物干し板５１が設けられ、前記物干し板５１の左右端面には互いに対称的な伝動軸３７が固定的に連結され、その中、前記伝動軸３７と前記反転チャンバ３３の内壁との間が回転できるように連結され、前記伝動軸３７には前記スパーギヤロッド３５と噛み合って連結できる伝動ギヤ３６が設けられ、前記物干し板５１の中には上に開口した物干し溝２３が設けられ、前記物干し溝２３の中には上下対称の載置台２１がスライドできるように連結され、前記載置台２１のうち互いに近接する側の間には引っ張りばね２２が連結され、前記物干し板５１の中には前記物干し溝２３の左右端に位置する互いに対称的なロックチャンバ２７が設けられ、前記ロックチャンバ２７のうち対称中心に近接する側には押しロッド２９がスライドできるように連結され、前記押しロッド２９には前記物干し溝２３の中に位置する上下対称の連結ロッド２０が回転できるように連結され、前記連結ロッド２０の他端と前記載置台２１との間が回転できるように連結され、前記押しロッド２９には前記ロックチャンバ２７の中に位置する押しブロック２８が設けられ、前記ロックチャンバ２７の頂端内壁には前記押しブロック２８と当接できるエジェクタロッド３１がスライドできるように連結され、前記エジェクタロッド３１の上端には前記円弧形状押し板５４と当接できる圧着弧板３０が設けられ、前記圧着弧板３０の下側と前記物干し板５１の上側との間には左右対称の復帰ばね３２が連結される。
【００１９】
本発明の装置は初期状態において、前記フック５０を利用して設備を梁に掛け、前記物干し溝２３が上に開口しており、前記円弧形状押し板５４が前記圧着弧板３０と当接しなく、前記圧着弧板３０と上端の前記載置台２１との距離を最大値まで達させ、前記モータ１２が閉じる。
【００２０】
本発明の装置を使用する時、服を上端の前記載置台２１の上側に平らに置き、前記モータ１２を始動して前記駆動軸２４により前記回転盤２５を回転させ、前記回転盤２５にある前記揺動レバー１６が前記斜面リング１３の制限により上下にスライドすることしかできなく、前記揺動レバー１６と前記従動ダイヤル２６とが当接する時に前記ネジ軸１８を回転させ、前記ネジ軸１８がネジ山による連結を通じてそれぞれ前記下降ブロックを下へ移動させ、前記上昇ブロック４１を上へ移動させ、また前記第二トーションバネ５２と前記第一トーションバネ４２とに運動エネルギーを蓄積させ、前記下降ブロック５３が下へ移動して前記円弧形状押し板５４と前記圧着弧板３０とが当接されることにより前記エジェクタロッド３１を押し動かして下へ移動させ、前記エジェクタロッド３１と前記押しブロック２８とが当接されることにより前記押しロッド２９を互いに向き合って移動させ、前記連結ロッド２０により前記載置台２１を上へ移動させ、前記圧着弧板３０と前記載置台２１とが互いに向き合って移動して服を圧着し、前記上昇ブロック４１が上へ移動して前記サポートロッド４０により前記起動板４４を連動して上へ移動させ、前記起動板４４にある前記連結フック４６により前記突き当て板３８を押し動かして上へ移動させ、前記突き当て板３８が前記スパーギヤロッド３５と前記伝動ギヤ３６との間の噛み合いにより半周回転し、また前記伝動軸３７により前記物干し板５１を回転させ、前記物干し溝２３を下に開口させ、前記揺動レバー１６が前記従動ダイヤル２６との当接から離脱した後、前記第二トーションバネ５２と前記第一トーションバネ４２との弾性復元力により前記下降ブロック５３と前記上昇ブロック４１とを復帰させ、再び前記揺動レバー１６が前記従動ダイヤル２６と当接した後、上記動作過程を繰り返し、同時に前記上昇ブロック４１が最高点まで上へ移動した後、前記空気圧縮機４８を始動して前記空気圧押しロッド４７の上への移動により前記連結フック４６を押し動かして上へ移動させて前記連結リング３９に引っ掛け、前記突き当て板３８を引っ張って下へ移動させ、前記スパーギヤロッド３５と前記伝動ギヤ３６とが噛み合って連結されることにより、前記伝動軸３７を連動して前記物干し板５１を改めて初期位置まで回転させ、また前記上昇ブロック４１が初期位置まで戻る時に前記空気圧縮機４８を閉じ、前記空気圧押しロッド４７を下へ移動させ、前記スライダ４５が前記スライド溝４９での摺動により前記連結フック４６と前記連結リング３９との当接を緩め、これにより間欠式の裏返りを往復して実現して洗濯物の物干し能力を向上させる。
【００２１】
本発明の有益効果は：本発明は構成が簡単で、操作が便利、透明性質を有する材料を採用した挟みや反転構成により光透過能力を確保し、物干し過程が機械装置に遮らないようにし、洗濯物を挟んで反転することにより上下両側がいずれも太陽に直射されることを実現し、洗濯物の物干し速度を速くし、また間欠性の反転により、片側が直射される時間が長すぎることによる服へのダメージを避ける。
【００２２】
以上の方式により、本分野の技術員が本発明の範囲内に作動模式により各種な変化をすることができる。
【図１】
2020171641.tif 000003
【図２】
2020171641.tif 000004
【図３】
2020171641.tif 000005
【図４】
2020171641.tif 000006
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
動力箱を含み、前記動力箱の中には置きチャンバが設けられ、前記置きチャンバの底端内壁にはモータが固定的に連結され、前記置きチャンバの頂端にはフックが回転できるように連結され、前記動力箱の中には前記置きチャンバの下端に位置する伝動チャンバが設けられ、前記伝動チャンバの頂端内壁には間欠伝動装置が設けられ、自動的に裏返るとともに片面に十分な干す時間を与え、前記伝動チャンバの底端内壁には反転装置が回転できるように連結され、その中、前記反転装置の中には左右対称の選択開閉装置が設けられ、前回の反転動作を実行した後、また反転動作を行う時に前記選択開閉装置を始動して復元を実現し、前記反転装置の中には上下に伸びているネジ軸が設けられ、前記ネジ軸には固定リングが回転できるように連結され、前記固定リングの左右端には互いに対称的な半円箱が固定的に連結され、前記半円箱には上に開口した反転チャンバが設けられ、前記反転チャンバの中には圧着装置が設けられ、前記圧着装置が前記反転装置と前記選択開閉装置により制御され、
前記間欠伝動装置は、前記伝動チャンバの頂端の中に回転できるように連結され、且つ前記モータと動力が伝達できるように連結できる駆動軸を含み、前記駆動軸には前記伝動チャンバの頂端内壁と固定的に連結できる斜面リングが嵌めるように連結され、前記駆動軸には前記斜面リングの下端に位置する回転盤が設けられ、前記回転盤には揺動レバーがスライドできるように連結され、前記揺動レバーの上端には前記斜面リングとスライドできるように連結できるボールが固定的に連結され、前記ボールの下側と前記回転盤の上側との間には圧縮ばねが連結されており、
前記反転装置は前記伝動チャンバの底端内壁に回転できるように連結される上下に伸びている前記ネジ軸を含み、前記ネジ軸の上端には前記揺動レバーと当接できる従動ダイヤルが設けられ、前記ネジ軸の下端末端には重力ブロックが回転できるように連結され、前記ネジ軸には前記重力ブロックの上側に位置する上昇ブロックがネジ山により連結され、前記上昇ブロックの下側と前記重力ブロックの上側との間には第一トーションバネが連結され、前記上昇ブロックには左右対称のサポートロッドがスライドできるように連結され、前記サポートロッドのうち対称中心から離れている端には前記選択開閉装置が固定的に連結され、前記ネジ軸には前記上昇ブロックの上側に位置する下降ブロックがネジ山により連結され、前記下降ブロックの上側と前記動力箱の下側との間には第二トーションバネが連結され、前記下降ブロックには円弧形状押し板がスライドできるように連結され、前記ネジ軸には固定リングが回転できるように連結され、前記固定リングには左右対称の前記圧着装置が設けられされており、
前記選択開閉装置は、前記サポートロッドのうち対称中心から離れている端に固定的に連結される起動板を含み、前記起動板の頂端端面には空気圧縮機が固定的に連結され、前記空気圧縮機の頂端には空気圧押しロッドが動力が伝達できるように連結され、前記空気圧押しロッドには前後対称の連結フックが回転できるように連結され、前記起動板には前に開口したスライド溝が設けられ、前記スライド溝には前記連結フックと回転できるように連結できるスライダがスライドできるように連結されされており、
前記圧着装置は、前記固定リングの左右端に固定的に連結される互いに対称的な前記半円箱を含み、前記半円箱の中には上に開口した前記反転チャンバが設けられ、前記反転チャンバの底端内壁には左右対称のスパーギヤロッドがスライドできるように連結され、前記スパーギヤロッドには前記反転チャンバの底端の外側に位置する突き当て板が設けられ、前記突き当て板の下側には前記連結フックと結合できる連結リングが固定的に連結され、前記反転チャンバの中には物干し板が設けられ、前記物干し板の左右端面には互いに対称的な伝動軸が固定的に連結され、その中、前記伝動軸と前記反転チャンバの内壁との間が回転できるように連結され、前記伝動軸には前記スパーギヤロッドと噛み合って連結できる伝動ギヤが設けられ、前記物干し板の中には上に開口した物干し溝が設けられ、前記物干し溝の中には洗濯物を干す上下対称の載置台がスライドできるように連結され、前記載置台のうち互いに近接する側の間には引っ張りばねが連結され、前記物干し板の中には前記物干し溝の左右端に位置する互いに対称的なロックチャンバが設けられ、前記ロックチャンバのうち対称中心に近接する側には押しロッドがスライドできるように連結され、前記押しロッドには前記物干し溝の中に位置する上下対称の連結ロッドが回転できるように連結され、前記連結ロッドの他端と前記載置台との間が回転できるように連結され、前記押しロッドには前記ロックチャンバの中に位置する押しブロックが設けられ、前記ロックチャンバの頂端内壁には前記押しブロックと当接できるエジェクタロッドがスライドできるように連結され、前記エジェクタロッドの上端には前記円弧形状押し板と当接できる圧着弧板が設けられ、前記圧着弧板の下側と前記物干し板の上側との間には左右対称の復帰ばねが連結されされており、
本願発明を使用する時、服を上端の前記載置台の上側に平らに置き、前記モータを始動して前記駆動軸により前記回転盤を回転させ、前記回転盤にある前記揺動レバーが前記斜面リングの制限により上下にスライドすることしかできなく、前記揺動レバーと前記従動ダイヤルとが当接する時に前記ネジ軸を回転させ、前記ネジ軸がネジ山による連結を通じてそれぞれ前記下降ブロックを下へ移動させ、前記上昇ブロックを上へ移動させ、また前記第二トーションバネと前記第一トーションバネとに運動エネルギーを蓄積させ、前記下降ブロックが下へ移動して前記円弧形状押し板と前記圧着弧板とが当接されることにより前記エジェクタロッドを押し動かして下へ移動させ、前記エジェクタロッドと前記押しブロックとが当接されることにより前記押しロッドを互いに向き合って移動させ、前記連結ロッドにより前記載置台を上へ移動させ、前記圧着弧板と前記載置台とが互いに向き合って移動して服を圧着し、前記上昇ブロックが上へ移動して前記サポートロッドにより前記起動板を連動して上へ移動させ、前記起動板にある前記連結フックにより前記突き当て板を押し動かして上へ移動させ、前記突き当て板が前記スパーギヤロッドと前記伝動ギヤとの間の噛み合いにより半周回転し、また前記伝動軸により前記物干し板を回転させ、前記物干し溝を下に開口させ、前記揺動レバーが前記従動ダイヤルとの当接から離脱した後、前記第二トーションバネと前記第一トーションバネとの弾性復元力により前記下降ブロックと前記上昇ブロックとを復帰させ、再び前記揺動レバーが前記従動ダイヤルと当接した後、上記動作過程を繰り返し、同時に前記上昇ブロックが最高点まで上へ移動した後、前記空気圧縮機を始動して前記空気圧押しロッドの上への移動により前記連結フックを押し動かして上へ移動させて前記連結リングに引っ掛け、前記突き当て板を引っ張って下へ移動させ、前記スパーギヤロッドと前記伝動ギヤとが噛み合って連結されることにより、前記伝動軸を連動して前記物干し板を改めて初期位置まで回転させ、また前記上昇ブロックが初期位置まで戻る時に前記空気圧縮機を閉じ、前記空気圧押しロッドを下へ移動させ、前記スライダが前記スライド溝での摺動により前記連結フックと前記連結リングとの当接を緩め、これにより間欠式の裏返りを往復して実現して洗濯物の物干し能力を向上させることを特徴とする自動的に裏返ることができる洗濯物干しバスケット。
【手続補正２】
【補正対象書類名】明細書
【補正対象項目名】全文
【補正方法】変更
【補正の内容】
【発明の詳細な説明】
【技術分野】
【０００１】
本発明は生活用品技術分野を取り上げて、具体的には自動的に裏返ることができる洗濯物干しバスケットである。  
【背景技術】
【０００２】
洗濯物干しバスケットは物干し載置能力が優れている物干し用品であるが、そのデメリットも明らかである。洗濯物が積み重ねて置かれるので、日光が足りない場合、下にある洗濯物が乾かないことが多い。また、洗濯物を干す時間帯は多くの人が仕事に出かける時間であるので、反転を補助することができない。そのため、自動的に裏返ることができる洗濯物干しバスケットを設計することが日用品業界発展の必然の趨勢であり、本発明が開示したのは上記問題を解決できる装置である。
【先行技術文献】
【特許文献】
【０００３】
【特許文献１】中国特許出願公開第１０９１９９０３９号明細書
【発明の概要】
【発明が解決しようとする課題】
【０００４】
本発明は自動的に裏返ることができる洗濯物干しバスケットを提供し、従来技術における欠点を解消することを目的とする。
【課題を解決するための手段】
【０００５】
本発明の自動的に裏返ることができる洗濯物干しバスケットは、動力箱を含み、前記動力箱の中には置きチャンバが設けられ、前記置きチャンバの底端内壁にはモータが固定的に連結され、前記置きチャンバの頂端にはフックが回転できるように連結され、前記動力箱の中には前記置きチャンバの下端に位置する伝動チャンバが設けられ、前記伝動チャンバの頂端内壁には間欠伝動装置が設けられ、自動的に裏返るとともに片面に十分な干す時間を与え、前記伝動チャンバの底端内壁には反転装置が回転できるように連結され、その中、前記反転装置の中には左右対称の選択開閉装置が設けられ、前回の反転動作を実行した後、また反転動作を行う時に前記選択開閉装置を始動して復元を実現し、前記反転装置の中には上下に伸びているネジ軸が設けられ、前記ネジ軸には固定リングが回転できるように連結され、前記固定リングの左右端には互いに対称的な半円箱が固定的に連結され、前記半円箱には上に開口した反転チャンバが設けられ、前記反転チャンバの中には圧着装置が設けられ、前記圧着装置が前記反転装置と前記選択開閉装置により制御される。
【０００６】
好ましくは、前記間欠伝動装置は、前記伝動チャンバの頂端の中に回転できるように連結され、且つ前記モータと動力が伝達できるように連結できる駆動軸を含み、前記駆動軸には前記伝動チャンバの頂端内壁と固定的に連結できる斜面リングが嵌めるように連結され、前記駆動軸には前記斜面リングの下端に位置する回転盤が設けられ、前記回転盤には揺動レバーがスライドできるように連結され、前記揺動レバーの上端には前記斜面リングとスライドできるように連結できるボールが固定的に連結され、前記ボールの下側と前記回転盤の上側との間には圧縮ばねが連結される。
【０００７】
好ましくは、前記反転装置は前記伝動チャンバの底端内壁に回転できるように連結される上下に伸びている前記ネジ軸を含み、前記ネジ軸の上端には前記揺動レバーと当接できる従動ダイヤルが設けられ、前記ネジ軸の下端末端には重力ブロックが回転できるように連結され、前記ネジ軸には前記重力ブロックの上側に位置する上昇ブロックがネジ山により連結され、前記上昇ブロックの下側と前記重力ブロックの上側との間には第一トーションバネが連結され、前記上昇ブロックには左右対称のサポートロッドがスライドできるように連結され、前記サポートロッドのうち対称中心から離れている端には前記選択開閉装置が固定的に連結され、前記ネジ軸には前記上昇ブロックの上側に位置する下降ブロックがネジ山により連結され、前記下降ブロックの上側と前記動力箱の下側との間には第二トーションバネが連結され、前記下降ブロックには円弧形状押し板がスライドできるように連結され、前記ネジ軸には固定リングが回転できるように連結され、前記固定リングには左右対称の前記圧着装置が設けられる。
【０００８】
好ましくは、前記選択開閉装置は、前記サポートロッドのうち対称中心から離れている端に固定的に連結される起動板を含み、前記起動板の頂端端面には空気圧縮機が固定的に連結され、前記空気圧縮機の頂端には空気圧押しロッドが動力が伝達できるように連結され、前記空気圧押しロッドには前後対称の連結フックが回転できるように連結され、前記起動板には前に開口したスライド溝が設けられ、前記スライド溝には前記連結フックと回転できるように連結できるスライダがスライドできるように連結される。
【０００９】
好ましくは、前記圧着装置は、前記固定リングの左右端に固定的に連結される互いに対称的な前記半円箱を含み、前記半円箱の中には上に開口した前記反転チャンバが設けられ、前記反転チャンバの底端内壁には左右対称のスパーギヤロッドがスライドできるように連結され、前記スパーギヤロッドには前記反転チャンバの底端の外側に位置する突き当て板が設けられ、前記突き当て板の下側には前記連結フックと結合できる連結リングが固定的に連結され、前記反転チャンバの中には物干し板が設けられ、前記物干し板の左右端面には互いに対称的な伝動軸が固定的に連結され、その中、前記伝動軸と前記反転チャンバの内壁との間が回転できるように連結され、前記伝動軸には前記スパーギヤロッドと噛み合って連結できる伝動ギヤが設けられ、前記物干し板の中には上に開口した物干し溝が設けられ、前記物干し溝の中には洗濯物を干す上下対称の載置台がスライドできるように連結され、前記載置台のうち互いに近接する側の間には引っ張りばねが連結され、前記物干し板の中には前記物干し溝の左右端に位置する互いに対称的なロックチャンバが設けられ、前記ロックチャンバのうち対称中心に近接する側には押しロッドがスライドできるように連結され、前記押しロッドには前記物干し溝の中に位置する上下対称の連結ロッドが回転できるように連結され、前記連結ロッドの他端と前記載置台との間が回転できるように連結され、前記押しロッドには前記ロックチャンバの中に位置する押しブロックが設けられ、前記ロックチャンバの頂端内壁には前記押しブロックと当接できるエジェクタロッドがスライドできるように連結され、前記エジェクタロッドの上端には前記円弧形状押し板と当接できる圧着弧板が設けられ、前記圧着弧板の下側と前記物干し板の上側との間には左右対称の復帰ばねが連結される。
【発明の効果】
【００１０】
本発明の有益効果は：本発明は構成が簡単で、操作が便利、透明性質を有する材料を採用した挟みや反転構成により光透過能力を確保し、物干し過程が機械装置に遮らないようにし、洗濯物を挟んで反転することにより上下両側がいずれも太陽に直射されることを実現し、洗濯物の物干し速度を速くし、また間欠性の反転により、片側が直射される時間が長すぎることによる服へのダメージを避ける。
【図面の簡単な説明】
【００１１】
説明しやすいために、本発明は下記の具体的な実施例及び付図により詳しく説明する。
【００１２】
【図１】図１は本発明の自動的に裏返ることができる洗濯物干しバスケットの全体構    成模式図
【図２】図２は図１の選択開閉装置の構成模式図
【図３】図３は図１の「Ａ−Ａ」の構成模式図
【図４】図４は図１の連結リングの構成模式図
【発明を実施するための形態】
【００１３】
以下に図１〜４を交えて本発明について詳しく説明する。便利に叙述するために、現在は後文に出る方位を下記の通りに規定する：後文に出る上下左右前後方向は図１本体の投影関係の上下左右前後方向と一致する。
【００１４】
本発明の自動的に裏返ることができる洗濯物干しバスケットは、動力箱１０を含み、前記動力箱１０の中には置きチャンバ１１が設けられ、前記置きチャンバ１１の底端内壁にはモータ１２が固定的に連結され、前記置きチャンバ１１の頂端にはフック５０が回転できるように連結され、前記動力箱１０の中には前記置きチャンバ１１の下端に位置する伝動チャンバ１７が設けられ、前記伝動チャンバ１７の頂端内壁には間欠伝動装置が設けられ、自動的に裏返るとともに片面に十分な干す時間を与え、前記伝動チャンバ１７の底端内壁には反転装置が回転できるように連結され、その中、前記反転装置の中には左右対称の選択開閉装置が設けられ、前回の反転動作を実行した後、また反転動作を行う時に前記選択開閉装置を始動して復元を実現し、前記反転装置の中には上下に伸びているネジ軸１８が設けられ、前記ネジ軸１８には固定リング１９が回転できるように連結され、前記固定リング１９の左右端には互いに対称的な半円箱３４が固定的に連結され、前記半円箱３４には上に開口した反転チャンバ３３が設けられ、前記反転チャンバ３３の中には圧着装置が設けられ、前記圧着装置が前記反転装置と前記選択開閉装置により制御される。
【００１５】
有益的には、前記間欠伝動装置は、前記伝動チャンバの頂端の中に回転できるように連結され、且つ前記モータ１２と動力が伝達できるように連結できる駆動軸２４を含み、前記駆動軸２４には前記伝動チャンバ１７の頂端内壁と固定的に連結できる斜面リング１３が嵌めるように連結され、前記駆動軸２４には前記斜面リング１３の下端に位置する回転盤２５が設けられ、前記回転盤２５には揺動レバー１６がスライドできるように連結され、前記揺動レバー１６の上端には前記斜面リング１３とスライドできるように連結できるボール１４が固定的に連結され、前記ボール１４の下側と前記回転盤２５の上側との間には圧縮ばね１５が連結される。
【００１６】
有益的には、前記反転装置は前記伝動チャンバ１７の底端内壁に回転できるように連結される上下に伸びている前記ネジ軸１８を含み、前記ネジ軸１８の上端には前記揺動レバー１６と当接できる従動ダイヤル２６が設けられ、前記ネジ軸１８の下端末端には重力ブロック４３が回転できるように連結され、前記ネジ軸１８には前記重力ブロック４３の上側に位置する上昇ブロック４１がネジ山により連結され、前記上昇ブロック４１の下側と前記重力ブロック４３の上側との間には第一トーションバネ４２が連結され、前記上昇ブロック４１には左右対称のサポートロッド４０がスライドできるように連結され、前記サポートロッド４０のうち対称中心から離れている端には前記選択開閉装置が固定的に連結され、前記ネジ軸１８には前記上昇ブロック４１の上側に位置する下降ブロック５３がネジ山により連結され、前記下降ブロック５３の上側と前記動力箱１０の下側との間には第二トーションバネ５２が連結され、前記下降ブロック５３には円弧形状押し板５４がスライドできるように連結され、前記ネジ軸１８には固定リング１９が回転できるように連結され、前記固定リング１９には左右対称の前記圧着装置が設けられる。
【００１７】
有益的には、前記選択開閉装置は、前記サポートロッド４０のうち対称中心から離れている端に固定的に連結される起動板４４を含み、前記起動板４４の頂端端面には空気圧縮機４８が固定的に連結され、前記空気圧縮機４８の頂端には空気圧押しロッド４７が動力が伝達できるように連結され、前記空気圧押しロッド４７には前後対称の連結フック４６が回転できるように連結され、前記起動板４４には前に開口したスライド溝４９が設けられ、前記スライド溝４９には前記連結フック４６と回転できるように連結できるスライダ４５がスライドできるように連結される。
【００１８】
有益的には、前記圧着装置は、前記固定リング１９の左右端に固定的に連結される互いに対称的な前記半円箱３４を含み、前記半円箱３４の中には上に開口した前記反転チャンバ３３が設けられ、前記反転チャンバ３３の底端内壁には左右対称のスパーギヤロッド３５がスライドできるように連結され、前記スパーギヤロッド３５には前記反転チャンバ３３の底端の外側に位置する突き当て板３８が設けられ、前記突き当て板３８の下側には前記連結フック４６と結合できる連結リング３９が固定的に連結され、前記反転チャンバ３３の中には物干し板５１が設けられ、前記物干し板５１の左右端面には互いに対称的な伝動軸３７が固定的に連結され、その中、前記伝動軸３７と前記反転チャンバ３３の内壁との間が回転できるように連結され、前記伝動軸３７には前記スパーギヤロッド３５と噛み合って連結できる伝動ギヤ３６が設けられ、前記物干し板５１の中には上に開口した物干し溝２３が設けられ、前記物干し溝２３の中には洗濯物を干す上下対称の載置台２１がスライドできるように連結され、前記載置台２１のうち互いに近接する側の間には引っ張りばね２２が連結され、前記物干し板５１の中には前記物干し溝２３の左右端に位置する互いに対称的なロックチャンバ２７が設けられ、前記ロックチャンバ２７のうち対称中心に近接する側には押しロッド２９がスライドできるように連結され、前記押しロッド２９には前記物干し溝２３の中に位置する上下対称の連結ロッド２０が回転できるように連結され、前記連結ロッド２０の他端と前記載置台２１との間が回転できるように連結され、前記押しロッド２９には前記ロックチャンバ２７の中に位置する押しブロック２８が設けられ、前記ロックチャンバ２７の頂端内壁には前記押しブロック２８と当接できるエジェクタロッド３１がスライドできるように連結され、前記エジェクタロッド３１の上端には前記円弧形状押し板５４と当接できる圧着弧板３０が設けられ、前記圧着弧板３０の下側と前記物干し板５１の上側との間には左右対称の復帰ばね３２が連結される。
【００１９】
本発明の装置は初期状態において、前記フック５０を利用して設備を梁に掛け、前記物干し溝２３が上に開口しており、前記円弧形状押し板５４が前記圧着弧板３０と当接しなく、前記圧着弧板３０と上端の前記載置台２１との距離を最大値まで達させ、前記モータ１２が閉じる。
【００２０】
本発明の装置を使用する時、服を上端の前記載置台２１の上側に平らに置き、前記モータ１２を始動して前記駆動軸２４により前記回転盤２５を回転させ、前記回転盤２５にある前記揺動レバー１６が前記斜面リング１３の制限により上下にスライドすることしかできなく、前記揺動レバー１６と前記従動ダイヤル２６とが当接する時に前記ネジ軸１８を回転させ、前記ネジ軸１８がネジ山による連結を通じてそれぞれ前記下降ブロックを下へ移動させ、前記上昇ブロック４１を上へ移動させ、また前記第二トーションバネ５２と前記第一トーションバネ４２とに運動エネルギーを蓄積させ、前記下降ブロック５３が下へ移動して前記円弧形状押し板５４と前記圧着弧板３０とが当接されることにより前記エジェクタロッド３１を押し動かして下へ移動させ、前記エジェクタロッド３１と前記押しブロック２８とが当接されることにより前記押しロッド２９を互いに向き合って移動させ、前記連結ロッド２０により前記載置台２１を上へ移動させ、前記圧着弧板３０と前記載置台２１とが互いに向き合って移動して服を圧着し、前記上昇ブロック４１が上へ移動して前記サポートロッド４０により前記起動板４４を連動して上へ移動させ、前記起動板４４にある前記連結フック４６により前記突き当て板３８を押し動かして上へ移動させ、前記突き当て板３８が前記スパーギヤロッド３５と前記伝動ギヤ３６との間の噛み合いにより半周回転し、また前記伝動軸３７により前記物干し板５１を回転させ、前記物干し溝２３を下に開口させ、前記揺動レバー１６が前記従動ダイヤル２６との当接から離脱した後、前記第二トーションバネ５２と前記第一トーションバネ４２との弾性復元力により前記下降ブロック５３と前記上昇ブロック４１とを復帰させ、再び前記揺動レバー１６が前記従動ダイヤル２６と当接した後、上記動作過程を繰り返し、同時に前記上昇ブロック４１が最高点まで上へ移動した後、前記空気圧縮機４８を始動して前記空気圧押しロッド４７の上への移動により前記連結フック４６を押し動かして上へ移動させて前記連結リング３９に引っ掛け、前記突き当て板３８を引っ張って下へ移動させ、前記スパーギヤロッド３５と前記伝動ギヤ３６とが噛み合って連結されることにより、前記伝動軸３７を連動して前記物干し板５１を改めて初期位置まで回転させ、また前記上昇ブロック４１が初期位置まで戻る時に前記空気圧縮機４８を閉じ、前記空気圧押しロッド４７を下へ移動させ、前記スライダ４５が前記スライド溝４９での摺動により前記連結フック４６と前記連結リング３９との当接を緩め、これにより間欠式の裏返りを往復して実現して洗濯物の物干し能力を向上させる。
【００２１】
本発明の有益効果は：本発明は構成が簡単で、操作が便利、透明性質を有する材料を採用した挟みや反転構成により光透過能力を確保し、物干し過程が機械装置に遮らないようにし、洗濯物を挟んで反転することにより上下両側がいずれも太陽に直射されることを実現し、洗濯物の物干し速度を速くし、また間欠性の反転により、片側が直射される時間が長すぎることによる服へのダメージを避ける。
【００２２】
以上の方式により、本分野の技術員が本発明の範囲内に作動模式により各種な変化をすることができる。